(57)【特許請求の範囲】
【請求項１】
縫製が施される加工布を支持するための刺繍枠と、
前記加工布の下方に配置された針棒昇降手段によって上下方向に往復駆動されることによって、糸を前記加工布を貫通させてその上方に引き上げる針と、
前記加工布の下方に配設され、前記針を中心として回動可能な回動駆動体と、
前記加工布の上方に配設され、前記回動駆動体の回動に連動して回動し、かつ前記針により引き上げられた糸を離脱可能に係止するための糸ループ保持部材とを備えたことを特徴とする刺繍ミシン。
【請求項２】
前記回動駆動体は、前記加工布の移送に連動して回動するように構成したことを特徴とする請求項１に記載の刺繍ミシン。
【請求項３】
前記回動駆動体と糸ループ保持部材との対向面の少なくとも一方に、磁力によって他方を吸引する磁石を備え、その磁石の吸引作用により、前記回動駆動体の回動に連動させて前記糸ループ保持部材を回動するように構成したことを特徴とする請求項１もしくは２に記載の刺繍ミシン。
【発明の詳細な説明】
【０００１】
【発明の属する技術分野】
本発明は、加工布上面にサガラ縫い及びチェーンステッチを形成する刺繍ミシンに関するものである。
【０００２】
【従来の技術】
従来、この種の刺繍ミシンによるループ縫いは次のように行われている。即ち、鈎針を布の上方から布を貫通させてその下方に向け下降させる。次に、布の下方において、ルーパを回動させて前記下降した鈎針のフックに糸を掛ける。そして、前記鈎針を布の上方に上昇させることにより、前記糸を布より上方に引き上げて布の上にループを形成する。その後、布を一目分横移動させる。以上の工程を次々と繰り返すことにより行われている。
【０００３】
【発明が解決しようとする課題】
しかしながら、前記従来の刺繍ミシンでは、鈎針と、その鈎針を昇降させる機構が布の上方に配置されているため、刺繍ミシン全体が大型化し、また、いかにも大がかりなマシンであるという印象を作業者に与えて、意匠的な美観を損なうという問題点もあった。そのため、一般需要者に刺繍を提供している服飾店（いわゆるショップ）に設置するには不適当な機械であった。
【０００４】
本発明は、前記の問題点を解決するためになされたものであり、刺繍ミシン全体を小型化し、しかも、外観を良好にし得る刺繍ミシンを提供することを目的としている。
【０００５】
【課題を解決するための手段】
この目的を達成するために、本発明の請求項１に記載の刺繍ミシンは、刺繍縫いが施される加工布を支持するための刺繍枠と、前記加工布の下方に配置された針棒昇降手段によって上下方向に往復駆動されることによって、糸を前記加工布を貫通させてその上方に引き上げる針と、前記加工布の下方に配設され、前記針を中心として回動可能な回動駆動体と、前記加工布の上方に配設され、前記回動駆動体の回動に連動して回動し、かつ前記針により引き上げられた糸を離脱可能に係止するための糸ループ保持部材とを備えたことを特徴としている。従って、刺繍縫いに際して、前記針が針棒昇降手段によって上昇されるとき、その針は、糸を前記加工布を貫通させてその上方に引き上げる。その引き上げられた糸は、糸ループ保持部材に係止され、その後、針が下降すると共に、加工布が移送されることによって糸ループ保持部材から離脱する。
【０００６】
【０００７】
また、請求項２に記載の刺繍ミシンは、前記回動駆動体が、前記加工布の移送に連動して回動するように構成したことを特徴としている。従って、刺繍縫いに際して、前記針によって引き上げられた糸が前記糸ループ保持部材に係止された後に、前記加工布が移送されたとき、その移送される加工布に連動して前記回動駆動体が回動する。
【０００８】
さらに、請求項３に記載の刺繍ミシンは、前記回動駆動体と糸ループ保持部材との対向面の少なくとも一方に、磁力によって他方を吸引する磁石を備え、その磁石の吸引作用により、前記回動駆動体の回動に連動させて前記糸ループ保持部材を回動するように構成したことを特徴としている。従って、前記回動駆動体と糸ループ保持部材とを簡単な構成で連動させることができる。
【０００９】
【発明の実施の形態】
以下に、本発明の刺繍ミシンを具体化した実施の形態について図面を参照して説明する。
【００１０】
図１は、本実施の形態の要部を示す一部断面図である。
【００１１】
針板２の上面には、加工布４が載置されている。その加工布４の上方には、糸ループ構成部６が配置されている。その糸ループ構成部６の内部には、糸ループ保持部材としての糸ループ保持針８が備えられており、さらに、加工布の進行方向に対する、糸ループ構成部６の壁には、糸ループ抜け孔１０ａ、１０ｂが形成されている。また、図２は、糸ループ構成部６の底面を示しており、その中心には、針孔１２が形成され、その針孔１２の周囲には一対の磁石１４が埋設されている。
【００１２】
一方、針板２には、中心に針孔１８が形成された円盤状の針孔板１６が設けられている。その針孔板１６は、針孔１８を中心にして針板２上に回動可能に支持されており、その上面には、糸ループ構成部６の前記磁石１４に対向する位置に互いに吸引作用を発揮する磁石２０が取り付けられている。従って、磁石１４と２０との磁力の吸引作用により、糸ループ構成部６は、針孔板１６の回動に連動じて回動される。そして、針孔板１６は、加工布４の左もしくは右への進行方向に応じて、針孔板回動機構２２により回動される。
【００１３】
ここに、加工布４は、図示しない布送り機構により、刺繍データに基づいて２次元的に送られる。
【００１４】
針孔板１６の下方には、ルーパ回動機構２６により回動される円柱状のルーパ２４が配置されている。そのルーパ２４には、その中心部に円形の挿通孔２８が形成されており、その挿通孔２８の上部に糸３０が懸架されるように糸道３２ａ、３２ｂが形成されている。そして、糸３０を掛けるフック部３４が形成された針３６が、前記針孔１２、１８及び挿通孔２８を通過し得るように配置されており、その針３６は、針棒昇降機構４０により上下動される針棒３８に取り付けられている。
【００１５】
以上のように構成された刺繍ミシンの動作について、図１及び図３乃至図５を参照しながら以下に説明する。
【００１６】
先ず、図１は、針３６が最下位にある状態を示す図である。この状態から、針３６は針棒昇降機構４０によって上昇される。そして、ルーパ２４に懸架された糸３０をフック部３４に掛け、この状態で、針３６は、糸３０を加工布４を貫通させてその上方まで引き上げる。図３は、針３６が最高位にある状態を示す図である。この状態から、針３６は下降させられる。そして、図４に示されるように、糸３０は、糸ループ保持針８に掛けられ保持される。この状態から、加工布４は、一目分横移動させられ、図５に示されるように、加工布４の上にループが形成される。加工布４の上に形成されたループは、糸ループ構成部６の糸ループ抜け孔１０ａを通って、糸ループ構成部６の外側へ送り出されていく。以上の工程を次々と繰り返す。ここで、布の進行方向が変化した時、針孔板回動機構２２により、針孔板１６は回動され、それに応じて、糸ループ構成部６も回動されるので、刺繍が終了されるまで、前記の動作が繰り返される。
【００１７】
また、前記と逆方向に加工布４が送られた場合には、加工布４の上には、単環のチェーンステッチを形成することができる。即ち、先ず、図１、図３及び図４の工程と同様の動作が行われる。但し、ルーパ２４は、前記の位置より１８０゜回転した位置にある。その後、図６、図７及び図８に示されるように、加工布４は前記と逆の方向に移送される。すると、加工布４の上には、単環のチェーンステッチが形成され、さらに、加工布４が送られると、形成されたチェーンステッチは、糸ループ構成部６の糸ループ抜け孔１０ｂを通って、糸ループ構成部６の外側へ送り出されていく。以上の工程を次々と繰り返す。ここで、布の進行方向が変化した時、針孔板回動機構２２により、針孔板１６は回動され、それに応じて、糸ループ構成部６も回動されるので、刺繍が終了するまで、前記の動作が繰り返される。
【００１８】
【００１９】
【発明の効果】
以上説明したことから明かなように、本発明の請求項１に記載の刺繍ミシンによれば、特に、加工布の下方に配置された針棒昇降手段によって上下方向に往復駆動され、糸を前記加工布を貫通させてその上方に引き上げる針を備えたので、刺繍ミシン全体を小型化することができ、設置場所を取らず、外観的にも良好にすることができる刺繍ミシンを提供することができる。更に、前記加工布下方には、前記針を中心として回動可能な回動駆動体を設ける一方、前記加工布の上方に、前記回動駆動体の回動に連動して回動し、かつ前記針により引き上げられた糸を離脱可能に係止するための糸ループ保持部材を設けたので、刺繍縫いの片面縫製を確実なものにすることができる。また、糸ループ保持部材の高さを変化させることにより、加工布上方に形成されるループの高さも自由に変化させることができる。
【００２０】
【００２１】
また、請求項２に記載の刺繍ミシンによれば、前記回動駆動体が、前記加工布の移送に連動して回動するように構成したので、刺繍縫いに際して、前記針によって引き上げられた糸が前記糸ループ保持部材に係止された後に、前記加工布が移送されたとき、その移送される加工布に連動して前記回動駆動体を回動することができる。
【００２２】
さらに、請求項３に記載の刺繍ミシンによれば、前記回動駆動体と糸ループ保持部材との対向面の少なくとも一方に、磁力によって他方を吸引する磁石を備え、その磁石の吸引作用により、前記回動駆動体の回動に連動させて前記糸ループ保持部材を回動するように構成したので、前記回動駆動体と糸ループ保持部材とを簡単な構成で連動させることができる。
【図面の簡単な説明】
【図１】本発明の実施の形態の刺繍ミシンの要部を示す一部断面図である。
【図２】糸ループ構成部の底面図である。
【図３】糸ループを形成する過程を示す説明図である。
【図４】糸ループを形成する過程を示す説明図である。
【図５】糸ループを形成する過程を示す説明図である。
【図６】チェーンステッチを形成する過程を示す説明図である。
【図７】チェーンステッチを形成する過程を示す説明図である。
【図８】チェーンステッチを形成する過程を示す説明図である。
【符号の説明】
４ 加工布
６ 糸ループ構成部
８ 糸ループ保持針
２４ ルーパ
３６ 針
【図１】
0003702559.tif 000002
【図２】
0003702559.tif 000003
【図３】
0003702559.tif 000004
【図４】
0003702559.tif 000005
【図５】
0003702559.tif 000006
【図６】
0003702559.tif 000007
【図７】
0003702559.tif 000008
【図８】
0003702559.tif 000009